(57)【特許請求の範囲】
【請求項１】
電極端子が設けられた上面及び前記上面に直交する一対の主面を有し、前記主面同士が正対して積層された、外形柱体の複数の蓄電素子と、
少なくとも前記蓄電素子を収納する収納容器とを備え、
前記収納容器は、前記主面に正対する一対の内壁のそれぞれに凸部を有し、
前記凸部は、前記蓄電素子の前記主面に、前記主面の周縁に沿った位置のみにおいて当接している、
電源装置。
【請求項２】
前記収納容器は、前記蓄電素子の側面に正対する内壁に第２の凸部を有し、
前記第２の凸部は、
前記蓄電素子の前記側面上の、前記主面に隣接する部位に当接している、
請求項１に記載の電源装置。
【請求項３】
前記一対の内壁の一方に形成された前記凸部と前記蓄電素子の前記主面とが当接する部分の面積は、
前記一対の内壁の他方に形成された前記凸部と前記蓄電素子の前記主面とが当接する部分の面積以上である、
請求項１又は２に記載の電源装置。
【請求項４】
前記一対の内壁の前記一方に形成された前記凸部のそれぞれの全部又は一部の表面積は、
前記一対の内壁の前記他方に形成された前記凸部のそれぞれの表面積以上である、
請求項３に記載の電源装置。
【請求項５】
前記一対の内壁の前記一方に形成された前記凸部の個数は、
前記一対の内壁の前記他方に形成された前記凸部の個数以上である、
請求項３又は４に記載の電源装置。
【請求項６】
前記一対の内壁の前記一方に形成された前記凸部と、前記一対の内壁の前記他方に形成された前記凸部とは、正対していない、
請求項３から５のいずれかに記載の電源装置。
【請求項７】
前記蓄電素子は外形角柱体であって、
それぞれの蓄電素子の、面積の大きい方の側面同士が隣接することにより配列されている、
請求項１から６のいずれかに記載の電源装置。
【請求項８】
前記凸部は、前記収納容器の外壁に形成された凹部の反転形状として形成されている、
請求項１から７のいずれかに記載の電源装置。
【発明の詳細な説明】
【技術分野】
【０００１】
本発明は、蓄電素子を収納容器に構成してなる電源装置に関する。
【背景技術】
【０００２】
二次電池は、一次電池の置きかえ用途はもとより、携帯電話、ＩＴ機器などの電子機器の電源として広く普及している。とりわけ、リチウムイオン電池に代表される非水電解質二次電池は、高エネルギー密度であることから、電気自動車や産業用大型電気機器への応用も進められており、この場合、更なる高電圧を得るために、複数の非水電解質二次電池をスタックして１個の電源を構成することも行われている（例えば、特許文献１を参照）。
【０００３】
図１１は、従来の技術による、複数の単電池から構成された電源装置の模式的な構成を示す分解斜視図である。図１１に示すように、電源装置１００は、組電池１１０と、開口１２１を有する開口箱状の収納容器１２０と、蓋部１３０とから構成される。
【０００４】
組電池１１０は、外形六面体の単電池１１１を、それぞれ正面と背面が対向するように複数配列したスタックである。各単電池１１１は、それぞれの異極の電極１１２同士がバスバー１１３で接続されており、これにより各単電池１１１は直列接続され、全体として高電圧の組電池を形成する。
【０００５】
組電池１１０は収納容器１２０に収納され、収納容器１２０の開口１２１は蓋部１３０により封止される。組電池１１０全体の正極の電極端子１１２ａと負極の電極端子１１２ｂが、蓋部１３０の上面１３０ａ上に設けられた正極端子１３１ａ及び負極端子１３１ｂにそれぞれ電気的に接続されており、これにより組電池１１０の電力が電源装置１００の電力として取り出される。
【先行技術文献】
【特許文献】
【０００６】
【特許文献１】特開２００２−１３４０７８号公報
【発明の概要】
【発明が解決しようとする課題】
【０００７】
従来の技術による電源装置の構成は以上のようなものであるが、上記従来の技術においては、以下のような問題があった。
【０００８】
すなわち、図１２に示すように、電源装置１００に加えられる外力に起因する振動、揺動等の影響を防ぐため、組電池１１０は、それぞれの単電池１１１が、その正面と背面、又は収納容器１２０の内壁との間に設けられた、シリコンゴム等の弾性部材からなるスペーサ１２２で挟まれることにより、全体として狭持固定されている。
【０００９】
しかしながら、組電池１１０を構成する単電池１１１の個数が増加すると、スペーサ１２２の個数も増加することとなり、組電池１１０の実装の作業が煩雑化してしまう。
【００１０】
又、組電池１１０全体の両側面が弾性部材であるスペーサ１２２により挟まれることは、収納容器１２０内において組電池１１０が弾性的に固定されていることを意味し、振動等に対して十分な固定が確保されているとは言えなかった。
【００１１】
このように、従来の技術による電源装置においては、収納容器内にて蓄電素子を固定するための部品点数や製造工程が増加し、生産性が低くなってしまい、かつ安定した固定が困難であるという課題があった。
【００１２】
本発明は、上記の課題に鑑みてなされたものであり、蓄電素子を安定して固定し、かつ部品点数や製造工程を削減して生産性を高めることが可能な電源装置を提供することを目的とする。
【課題を解決するための手段】
【００１３】
上記の目的を達成するために、本発明の第１の側面は、
電極端子が設けられた上面及び前記上面に直交する一対の主面を有し、前記主面同士が正対して積層された、外形柱体の複数の蓄電素子と、
少なくとも前記蓄電素子を収納する収納容器とを備え、
前記収納容器は、前記主面に正対する一対の内壁のそれぞれに凸部を有し、
前記凸部は、前記蓄電素子の前記主面に、前記主面の周縁に沿った位置のみにおいて当接している、
電源装置である。
【００１４】
又、本発明の第２の側面は、
前記収納容器は、前記蓄電素子の側面に正対する内壁に第２の凸部を有し、
前記第２の凸部は、
前記蓄電素子の前記側面上の、前記主面に隣接する部位に当接している、
本発明の第１の側面の電源装置である。
【００１５】
又、本発明の第３の側面は、
前記一対の内壁の一方に形成された前記凸部と前記蓄電素子の前記主面とが当接する部分の面積は、
前記一対の内壁の他方に形成された前記凸部と前記蓄電素子の前記主面とが当接する部分の面積以上である、
本発明の第１又は第２の側面の電源装置である。
【００１６】
又、本発明の第４の側面は、
前記一対の内壁の前記一方に形成された前記凸部のそれぞれの全部又は一部の表面積は、
前記一対の内壁の前記他方に形成された前記凸部のそれぞれの表面積以上である、
本発明の第３の側面の電源装置である。
【００１７】
又、本発明の第５の側面は、
前記一対の内壁の前記一方に形成された前記凸部の個数は、
前記一対の内壁の前記他方に形成された前記凸部の個数以上である、
本発明の第３又は第４の側面の電源装置である。
【００１８】
又、本発明の第６の側面は、
前記一対の内壁の前記一方に形成された前記凸部と、前記一対の内壁の前記他方に形成された前記凸部とは、正対していない、
本発明の第３から第５のいずれかの側面の電源装置である。
【００１９】
又、本発明の第７の側面は、
前記蓄電素子は外形角柱体であって、
それぞれの蓄電素子の、面積の大きい方の側面同士が隣接することにより配列されている、
本発明の第１から第６のいずれかの側面の電源装置である。
【００２０】
又、本発明の第８の側面は、
前記凸部は、前記収納容器の外壁に形成された凹部の反転形状として形成されている、
本発明の第１から第７のいずれかの側面の電源装置である。
【発明の効果】
【００２４】
以上のような本発明によれば、電源装置において、蓄電素子を安定して固定し、かつ生産性を高めることが可能になるという効果を有する。
【図面の簡単な説明】
【００２５】
【図１】本発明の実施の形態１に係る電源装置の構成を示す斜視図
【図２】本発明の実施の形態１に係る電源装置の構成を示す分解斜視図
【図３】本発明の実施の形態１に係る電源装置の構成を示す要部断面図
【図４】本発明の実施の形態１に係る電源装置の構成を示す要部断面図
【図５】本発明の実施の形態１に係る電源装置の構成を示す要部断面図
【図６】（ａ）本発明の実施の形態２に係る電源装置の構成を示す要部断面図（ｂ）本発明の実施の形態に係る電源装置の構成を示す要部断面図
【図７】（ａ）本発明の実施の形態３に係る電源装置の構成を示す要部断面図（ｂ）本発明の実施の形態に係る電源装置の構成を示す要部断面図
【図８】（ａ）本発明の実施の形態４に係る電源装置の構成を示す要部断面図（ｂ）本発明の実施の形態に係る電源装置の構成を示す要部断面図
【図９】（ａ）本発明の実施の形態に係る電源装置の他の構成例を示す要部断面図（ｂ）本発明の実施の形態に係る電源装置の他の構成例を示す要部断面図
【図１０】本発明の実施の形態に係る電源装置の他の構成例を示す要部断面図
【図１１】従来の技術による電源装置の構成を示す分解斜視図
【図１２】従来の技術による電源装置の構成を示す要部断面図
【発明を実施するための形態】
【００２６】
以下、本発明の実施の形態について図面を参照しながら説明する。
（実施の形態１）
図１は、本発明の実施の形態に係る電源装置１の構成を示す斜視図であり、図２は、同分解斜視図である。
【００２７】
図１及び図２に示すように、本実施の形態の電源装置１は、主に、組電池３０と、組電池３０の収納容器を構成する蓋部１０及び容器本体２０とから構成される。
【００２８】
容器本体２０は、スチール等の金属製の、開口箱状の部材であって、正面形状において矩形の開口２０ｘを正面として、その内側に組電池３０を収納する。又、容器本体２０の上面２２には、平面形状が円形の凹部２２ａが設けられている。
【００２９】
ここで、図３の、開口２０ｘに平行な向きに沿った要部断面図に示すように、容器本体２０においては、上面２２に対向する底面２３の表面にも、凹部２２ａと同様の形状の凹部２３ａが設けられている。凹部２２ａ及び２３ａは、容器本体２０の壁全体を変形させており、容器本体の内側に反転形状としての、概略円錐台形の凸部２２ｂ及び２３ｂをそれぞれ生じさせている。
【００３０】
次に、組電池３０は、図２に示すように、金属製の外装を有する外形六面体の単電池３１を、横２行縦４列に配置してなるスタックである。単電池３１は、正負それぞれの電極端子３１ａが設けられた外形矩形の上面３１ｂ並びに図示されない底面、上面３１ｂの長辺側に連なる一対の側面である主面３１ｃ、上面３１ｂの短辺側に連なる一対の側面である側面３１ｄを有する。したがって、単電池３１は、上面３１ｂ及び図示されない底面を一対の底面、主面３１ｃ及び側面３１ｄを側面として有する角柱と見ることができ、容器本体２０内においては、言わば横倒し状態となって、それぞれの主面３１ｃ同士が対向して、配列されている。
【００３１】
次に蓋部１０は、容器本体２０と同様金属製の部材であって、開口２０ｘに対応した平面形状を有し、組電池３０を収納した状態で容器本体２０を封止するための部材である。蓋部１０は、基材となる蓋部材１０ａの主面上に開口１１ａ〜１１ｃが設けられており、図１に示すように、組電池３０のそれぞれの単電池３１の電極端子３１ａは、これらの開口１１ａ〜１１ｃから外に露出している。蓋部１０の表面において、電極端子３１ａ同士はそれぞれ電気的に接続され、全体として高電圧の組電池を形成する。さらに、蓋部１０の表面には、組電池３０に対する充放電を管理するための管理回路、リレー回路等を含めた電子デバイス（図示省略）が実装される。
【００３２】
又、蓋部１０の両側端及び容器本体２０の両側面２１には、貫通孔１２ｂが開口されたタブ１２ａ及び貫通孔２１ｂが開口されたタブ２１ａがそれぞれ設けられており、組電池３０が容器本体２０に収納された状態で、タブ１２ａ及び２１ａ同士も対向している。この対向するそれぞれのタブの貫通孔１２ｂ及び２１ｂにボルト１３を挿入し、締結することにより、容器本体２０は密閉され、組電池３０は、それぞれの単電池３１の上面３１ｂ及び底面がタブ１２ａ及び２１ａの締結圧により拘束される。
【００３３】
以上の構成において、組電池３０は本発明の蓄電素子に相当し、蓋部１０及び容器本体２０の組合せは本発明の収納容器に相当する。又、凸部２２ｂ及び凸部２３ｂは本発明の凸部に相当する。
【００３４】
以上のような構成を備えた本実施の形態１の電源装置１は、容器本体２０において、その内側、すなわち上面２２及び底面２３の裏面に形成された凸部２２ｂ及び２３ｂを備えたことを特徴とする。
【００３５】
以下、図４及び図５の各要部断面図を併せて参照して、さらに詳細に説明する。ただし、図４は、電源装置１の、単電池３１の側面３１ｄに平行な向きに沿った要部断面図であり、図５は、電源装置１の、単電池３１の主面３１ｃに平行な向きに沿った要部断面図である。
【００３６】
図３〜図５に示すように、容器本体２０の上面２２及び底面２３の裏面に形成された凸部２２ｂ及び２３ｂは、組電池３０の上面及び底面に接触している。
【００３７】
この構成において、収納容器内の組電池３０は、最上部に積層された単電池３１の主面３１ｃと、最下層に位置する単電池３１の主面３１ｃとが直接容器本体２０に当接することになり、組電池３０は容器本体２０により直接固定される。
【００３８】
又、組電池３０内において、積層された単電池３１の主面３１ｃ同士の間、隣接する側面３１ｄ同士の間、及び単電池３１の底面３１ｅと容器本体２０の底面との間には、例えばシリコンゴム製の弾性部材であるスペーサ４１、４２及び４３がそれぞれ挿入されており、凸部２２ｂ及び２３ｂとの当接状態によって単電池３１に過剰な応力が加えられることを防ぐとともに、単電池３１及び容器本体２０の寸法公差を吸収して、組電池３０全体が確実に収納容器２０内に収納されることを担保している。
【００３９】
したがって、電源装置１において、配列された単電池３１は一体として収納容器内に固定され、かつ、組電池３０と容器本体２０との間にはスペーサを設ける必要がないこととなり、部品点数や製造工程を削減して生産性を高めつつ、蓄電素子を収納容器内に安定して固定させることが可能となる。
【００４０】
又、本実施の形態の電源装置１は、凸部２２ｂ及び２３ｂと組電池３０とが当接する位置を、単電池３１の角寄りにしたことを特徴とする。具体的には、図５に示すように、単電池３１の上面３１ｂに隣接した領域３２ｂ、側面３１ｄに隣接した領域３２ｃ、底面３１ｅに隣接した領域３２ｃのうち、少なくとも２つが重なる領域として、主面３１ｃ上の四隅に、凸部２２ｂ及び２３ｂが位置している。
【００４１】
これは以下の効果を奏する。すなわち、例えば単電池としてリチウムイオン二次電池のような非水電解質二次電池を用いた場合、充放電を繰り返すことによりガスが発生して単電池３１の筐体が膨張する。このとき、筐体の膨張は単電池３１全体において等方的に生ずることはなく、筐体内部にて発電要素と正対する主面３１ｃの中心部分にて最も大きく現れる。
【００４２】
本実施の形態１においては、そのような単電池３１の特性に鑑み、上記中心部分から遠く、膨張が最も現れにくい、主面３１ｃ上の四隅に凸部２２ｂ及び２３ｂが当接する構成としたことにより、組電池３０の経時変化の影響が収納容器に及ぶことを低減して、信頼性の高い電源装置を実現している。
【００４３】
このように、本実施の形態１の電源装置１によれば、収納容器を構成する容器本体２０内に、容器の壁体を変形させてなる凸部２２ｂ及び２３ｂが、収納される組電池に直接当接した構成とすることにより、部品点数、製造工程を削減し、かつ組電池３０を安定して固定することが可能となる。
【００４４】
（実施の形態２）
本発明の実施の形態２に係る電源装置１は、容器本体２０の上面と底面とで凸部の寸法を異ならせたことを特徴とする。
【００４５】
図６（ａ）は、図５と同様、容器本体２０の上面２２側における本実施の形態２の電源装置１の要部断面図であり、図６（ｂ）は、容器本体２０の底面２３側における要部断面図である。
【００４６】
以下、図６（ａ）（ｂ）の要部断面図を参照して説明を行う。ただし、実施の形態１と同一又は相当する部分には同一符号を付して詳細な説明は省略する。以下の各実施の形態も同様である。
【００４７】
本実施の形態２の電源装置１の容器本体２０において、図６（ａ）に示すように、組電池３０の上面に当接する凸部２２ｂは実施の形態１と同一であるが、図６（ｂ）に示すように、組電池３０の底面に当接する凸部２３ｄは、凸部２２ｂと同一形状であって、より大きな接触面積を有している。
【００４８】
このような構成を備えた実施の形態２に係る電源装置１は、実施の形態１と同様、凸部２２ｂ及び２３ｄが組電池３０の上面及び底面に当接することで、組電池３０の安定した固定と、部品点数等の削減を実現している。
【００４９】
更に、本実施の形態２においては、容器本体２０において、凸部２３ｄの面積を凸部２２ｂよりも大きくしたことにより、以下の効果を奏する。すなわち、組電池３０は鉛直方向に積層されており、容器本体２０の底面２３側に位置する単電池３１には、組電池３０全体の自重が加えられるため、凸部２３ｄによる当接の程度によっては、単電池３１の筐体に必要以上の加重がかかり、変形等の不具合が生じる可能性がある。
【００５０】
そこで、凸部２３ｄの面積を大きくし、単電池３１に加えられる単位面積当りの加重を分散させることにより、組電池３０内における各単電池３１への負荷を平均化して、より信頼性の高い電源装置を得ることが可能となっている。
【００５１】
なお、上記の説明においては、凸部２３ｄは、全て凸部２２ｂよりも大きい面積を有するものであるとしたが、本発明は、凸部２３ｄの面積の合計が、凸部２２ｂの面積の合計よりも大きければよい。
【００５２】
したがって、例えば、少なくとも凸部２３ｄの一つについて、凸部２２ｂの面積の合計より大きな面積を有するのであれば、他の凸部２３ｄの残りについては、凸部２２ｂよりも小さな面積を有する構成であってもよい。
【００５３】
（実施の形態３）
本発明の実施の形態３に係る電源装置１は、容器本体２０の上面と底面とで凸部の個数を異ならせたことを特徴とする。
【００５４】
図７（ａ）は、図５及び図６（ａ）と同様、容器本体２０の上面２２側における本実施の形態２の電源装置１の要部断面図であり、図７（ｂ）は、容器本体２０の底面２３側における要部断面図である。
【００５５】
以下、図７（ａ）（ｂ）の要部断面図を参照して説明を行う。
【００５６】
本実施の形態３の電源装置１の容器本体２０は、図７（ａ）に示すように、組電池３０の上面に当接する凸部２２ｂは実施の形態１と同一であるが、図７（ｂ）に示すように、組電池３０の底面に当接する凸部２３ｂを、側面３１ｄに隣接した領域３２ｂ上及び底面３１ｅに隣接した領域３２ｃ上に更に設けた構成としている。
【００５７】
このような構成を備えた実施の形態２に係る電源装置１は、実施の形態１の効果に加えて、容器本体２０において、凸部２３ｂの個数を凸部２２ｂの個数よりも多くしたことにより、凸部２２ｂの面積の合計が、凸部２２ｄの面積の合計よりも大きくなっている。
【００５８】
したがって、実施の形態２と同様、組電池３０の最下部に位置する単電池３１に加えられる単位面積当りの加重を分散させることができ、組電池３０内における各単電池３１への負荷を平均化して、より信頼性の高い電源装置を得ることが可能となる。
【００５９】
更に、本実施の形態においては、上面２１側と底面２３側とで凸部の形状、寸法を同一とできるため、作成がより容易であるという利点を有する。
【００６０】
又、凸部２３ｂの個数の調整により単電池３１への加重を調整できるため、実施の形態２よりも加重の調整が容易であるという利点を有する。
【００６１】
なお、上記の説明においては、凸部２３ｂは、上面３１ｂに隣接した領域３２ａ上及び側面３１ｄに隣接した領域３２ｂ上に設けた構成としたが、本発明は、凸部２２ｂの面積の合計が、凸部２２ｄの面積の合計よりも大きければよく、したがって、凸部２３ｂの配置は、主面３１ｃ上の任意の位置であってもよい。ただし、実施の形態１にて説明したように、単電池３１の各側面３１ｃ、上面３１ｄ、底面３１ｂ寄りの領域上に配置したほうが、組電池３０の経時変化に伴う収納容器への影響を低減でき、より好適である。
【００６２】
（実施の形態４）
本発明の実施の形態４に係る電源装置１は、容器本体２０の上面と底面とで凸部の配置を異ならせたことを特徴とする。
【００６３】
図８（ａ）は、図５その他の図と同様、容器本体２０の上面２２側における本実施の形態２の電源装置１の要部断面図であり、図８（ｂ）は、容器本体２０の底面２３側における要部断面図である。
【００６４】
以下、図８（ａ）（ｂ）の要部断面図を参照して説明を行う。
【００６５】
本実施の形態４の電源装置１の容器本体２０は、図８（ａ）に示すように、組電池３０の上面に当接する凸部２２ｂは実施の形態１と同一であるが、図８（ｂ）に示すように、組電池３０の底面を圧接する凸部２３ｂの配置を、上面３１ｂに隣接した領域３２ａ上、底面３１ｅに隣接した領域３２ａｃ、及び側面３１ｄに隣接した領域３２ｂ上においてシフトさせ、凸部２２ｂと凸部２３ｂとが、組電池３０を間に挟んで正対しないようにした構成としている。
【００６６】
このような構成を備えた実施の形態４に係る電源装置１は、実施の形態１の効果に加えて、以下の効果を奏する。すなわち、組電池３０全体に対する凸部２２ｂからの加重と凸部２３ｂからの加重を、主面３１ｃ上にて分散させることができ、組電池３０内における各単電池３１への負荷を平均化して、より信頼性の高い電源装置を得ることが可能となる。
【００６７】
又、凸部２２ｂ及び凸部２３ｂの位置の調整により単電池３０への加重を調整できるため、作成が容易であるという利点を有する。
【００６８】
なお、上記の説明においては、凸部２２ｂと凸部２３ｂとは、上面３１ｂに隣接した領域３２ａ上、底面３１ｅに隣接した領域３２ｃ上、及び側面３１ｄに隣接した領域３２ｂ上をシフトさせた構成としたが、本発明は、凸部２２ｂと凸部２３ｂとが正対しないように配置されていればよく、具体的な配置によって限定されるものではない。ただし、実施の形態３と同様、単電池３１の各側面３１ｄ、上面３１ｃ、底面３１ｅ寄りの領域上に配置したほうが、組電池３０の経時変化に伴う収納容器への影響を低減でき、より好適である。
【００６９】
以上のように、本発明の実施の形態の電源装置１によれば、収納容器を構成する容器本体２０内に、容器の壁体を変形させてなる凸部２２ｂ及び２３ｂにより収納される組電池に直接に当接した構成とすることにより、部品点数、製造工程を削減し、かつ組電池３０を安定して固定することが可能となる。
【００７０】
しかしながら、本発明は、上記の実施の形態に限定されるものではない。
【００７１】
上記の説明においては、凸部２２ｂ及び２３ｂは、いずれも平面形状円形であるとしたが、本発明の凸部は、収納容器の内壁から突出した態様を有していればよく、矩形、楕円形、その他任意の形状としてもよく、具体的な形状によって限定されるものではない。
【００７２】
凸部の他の例として、図９（ａ）に、凸部を、容器本体２０の表面に設けた長円形状の凹部２２ｃの反転形状としての凸部２２ｄとして構成した例を示す。組電池３０の挿入方向に一致する、単電池３１の側面３１ｄに沿って延伸した構成としたことにより、作成が容易であり、かつ、単電池３１との接触面積がより大きいため、組電池３０を更に安定して固定することが可能となる。
【００７３】
一方、図９（ｂ）に示す例は、長円状の凹部２２ｅの反転形状としての凸部２２ｆを、単電池３１の上面３１ｂ及び底面３１ｂに沿って延伸した構成としたものである。図９（ａ）同様、単電池３１との接触面積がより大きいため、組電池３０を更に安定して固定することが可能となる。
【００７４】
又、上記の説明においては、本発明の凸部は、容器本体２０の対向する一対の内壁として、上面２２及び底面２３側に設けるものとしたが、図１０に示すように、側面２１側に設けるようにしてもよい。この場合、側面２１上の凹部２１ｃの反転形状を有する凸部２１ｄは、単電池３１の、主面３１ｃより面積の小さい方の側面３１ｄに当接することで、電源装置１の水平方向に加わる外力に起因する振動、揺動等を抑制することが可能となる。
【００７５】
更に、上面２２及び底面２３側に設けた凸部２２ｂ及び２３ｂと組み合わせることで、組電池３０の対角方向に当接することができ、組電池３０を更に安定して固定することが可能となる。
【００７６】
又、上記の説明においては、本発明の凸部は、容器本体２０の対向する一対の内壁として、上面２２及び底面２３の双方に設けるものとしたが、いずれか一方の面にのみ設ける構成としてもよい。又、単電池３１の上面３１ｂ及び／又は底面３１ｅに当接するように、蓋部１０の裏面及び／又は容器本体２０の背面の裏側に、本発明の凸部を設けるようにしてもよい。又、本発明の凸部は、凹部２２ａ等の反転形状としての凸部２２ｂ等であるとしたが、凹部の形成に依存せず設けた構成としてもよい。
【００７７】
又、凸部２２ｂ及び２３ｂその他凸部の間隔を調整して、当接の程度の強弱を変化させて、単電池３１が圧接されるようにしてもよい。
【００７８】
又、上記の各実施の形態は、それぞれ独立したものとして示したが、各実施の形態の構成は、その全部又は一部の特徴を任意に組み合わせて実施してもよい。
【００７９】
又、上記の説明においては、本発明の蓄電素子は、リチウムイオン二次電池に代表される単電池であるとしたが、電気化学反応により充放電可能な電池であれば、ニッケル水素電池その他各種の二次電池を用いてもよい。又、一次電池であってもよい。さらに電気二重層キャパシタのように、電気を直接電荷として蓄積する方式の素子であってもよい。要するに、本発明の蓄電素子は電気を蓄積可能な素子であれば、その具体的な方式によって限定されるものではない。
【００８０】
又、上記の説明においては、収納容器の外形は矩形であるとしたが、円形、多角形等任意の形状であってよく、収納容器の底面形状もこれに対応した任意の形状であってよい。又、蓋部１０及び容器本体２０は同種の金属製としたが、互いに異なる材質で製造されたものであってもよい。又、樹脂その他の材料により作成されたものであってもよい。
【００８１】
又、組電池３０を構成する単電池３１は金属製の外形六面体としたが、円筒形状等の形状であってもよい。又、組電池３０は８つの単電池３１から構成される、縦２列横４列のスタックであるとしたが、縦横共に任意の数の組合せからなるスタックであるとしてもよい。更に、本発明は単一の単電池のみを蓄電素子として備えた構成として実現してもよい。要するに、本発明の電源装置は、蓄電素子の、個数、形状その他の具体的な構成によって限定されるものではない。
【００８２】
要するに、本発明は、その要旨を逸脱しない範囲内であれば、以上説明したものを含め、上記実施の形態に種々の変更を加えたものとして実施してもよい。
【産業上の利用可能性】
【００８３】
以上のような本発明は、蓄電素子を安定して固定し、かつ生産性を高めることが可能になるという効果を有し、例えば二次電池を用いた電源装置において有用である。
【符号の説明】
【００８４】
１      電源装置
１０      蓋部
１０ａ      蓋部材
１１ａ〜１１ｃ      開口
１２ａ      タブ
１２ｂ      貫通孔
１３      ボルト
２０      容器本体
２０ｘ      開口部
２１      上面
２１ａ      タブ
２１ｂ      貫通孔
２２      上面
２２ａ、２３ａ      凹部
２２ｂ、２３ｂ      凸部
３０      組電池
３１      単電池
【図１】
0006019648.tif 000002
【図２】
0006019648.tif 000003
【図３】
0006019648.tif 000004
【図４】
0006019648.tif 000005
【図５】
0006019648.tif 000006
【図６】
0006019648.tif 000007
【図７】
0006019648.tif 000008
【図８】
0006019648.tif 000009
【図９】
0006019648.tif 000010
【図１０】
0006019648.tif 000011
【図１１】
0006019648.tif 000012
【図１２】
0006019648.tif 000013